(57)【要約】【課題】電気料金を安く抑え、省エネに役立つ映像表示装置を提供することを目的とする。【解決手段】映像表示デバイス２１０と、この映像表示デバイス２１０を駆動させる際の電力供給会社を選択する電力会社選択情報２０１と、各電力会社の持つ契約形態の一覧からユーザが契約している形態を選択する契約形態選択情報２０２と、契約形態の全時間帯における電気料金データである電力料金テーブル２０３と、現在の時間・曜日・日付情報である時間・曜日・日付情報２０４と、明るさ・電力の制御の方法の情報である制御方法選択情報２０５と、明るさ制御手段２０６と、電力制御手段２０７と、現在の電気料金がどれくらいになるのかを算出するマイクロコントローラ２００と、を備え、前記映像表示デバイス２１０に映像表示を行う際に、使用している時間帯の電気料金に応じた明るさ制御及び電力制御を行うことができるように構成したことを特徴とする。【選択図】図１
2010091643.tif 000002
【特許請求の範囲】
【請求項１】
映像表示デバイスと、この映像表示デバイスを駆動させる際の電力供給会社を選択する電力会社選択情報と、各電力会社の持つ契約形態の一覧からユーザが契約している形態を選択する契約形態選択情報と、契約形態の全時間帯における電気料金データである電力料金テーブルと、現在の時間・曜日・日付情報である時間・曜日・日付情報と、明るさ・電力の制御の方法の情報である制御方法選択情報と、明るさ制御手段と、電力制御手段と、現在の電気料金がどれくらいになるのかを算出するマイクロコントローラと、を備え、前記映像表示デバイスに映像表示を行う際に、使用している時間帯の電気料金に応じた明るさ制御及び電力制御を行うことができるように構成されていることを特徴とする映像表示装置。
【発明の詳細な説明】
【技術分野】
【０００１】
本発明は、電力料金によって電力制御を変化させることが可能な映像表示装置に関する。
【背景技術】
【０００２】
従来、映像表示装置においては、深夜等の、電気料金が安価となる決められた時間帯において動作させるというものがある（例えば、特許文献１参照）。
【特許文献１】特開平４−３３８４９６号公報
【発明の開示】
【発明が解決しようとする課題】
【０００３】
ところで、従来の一般的な映像表示装置は、画面の明るさやコントラストを制御し明るさを抑える、すなわち、周囲の明るさをセンサーで検知し最適な明るさに制御することで低消費電力となるように制御されていたが、この制御は映像表示装置を使用する時間帯における電気料金のことは考慮しない制御である。
【０００４】
本発明はこのような現状に鑑みなされたものであり、電気料金を安く抑え、省エネとなるように構成された映像表示装置を提供することを目的とする。
【課題を解決するための手段】
【０００５】
上記目的を実現するために本発明の映像表示装置は、映像表示デバイスと、この映像表示デバイスを駆動させる際の電力供給会社を選択する電力会社選択情報と、各電力会社の持つ契約形態の一覧からユーザが契約している形態を選択する契約形態選択情報と、契約形態の全時間帯における電気料金データである電力料金テーブルと、現在の時間・曜日・日付情報である時間・曜日・日付情報と、明るさ・電力の制御の方法の情報である制御方法選択情報と、明るさ制御手段と、電力制御手段と、現在の電気料金がどれくらいになるのかを算出するマイクロコントローラと、を備え、前記映像表示デバイスに映像表示を行う際に、使用している時間帯の電気料金に応じた明るさ制御及び電力制御を行うことができるように構成されていることを特徴とするものである。
【発明の効果】
【０００６】
本発明によれば、映像表示装置の使用者が契約している形態に合わせて映像表示装置における電力制御を行うことができるので、電気料金が安価でない時間帯での使用におけるランニングコストを抑えることが可能となり、もって、電気料金を安く抑え、省エネとなるように構成された映像表示装置を提供することができる。
【発明を実施するための最良の形態】
【０００７】
以下、本発明の一実施の形態による映像表示装置について、図面を用いて説明する。
【０００８】
図１は、本発明の一実施の形態による映像表示装置の概略構成を示すブロック図である。映像表示装置１００は、マイクロコントローラ２００と、映像表示デバイス２１０を駆動させる際の電力供給会社を選択する電力会社選択情報２０１と、各電力会社の持つ契約形態の一覧からユーザが契約している形態を選択する契約形態選択情報２０２と、契約形態の全時間帯における電気料金データである電力料金テーブル２０３と、現在の時間・曜日・日付情報２０４と、明るさ・電力の制御の方法の情報である制御方法選択情報２０５と、明るさ制御手段２０６と、電力制御手段２０７と、映像入力手段２０８と、映像表示デバイス制御手段２０９と、映像表示デバイス２１０、とを備える。
【０００９】
ここで、電力料金テーブル２０３は、各々の電力会社の電力量料金テーブル２１１を格納しており、使用者からの電力会社の入力データに基づいて電力量料金のデータが取り出せるようになっている。
【００１０】
また、制御方法選択情報２０５は、使用者が明るさ・電力の制御をどの様に行うかという情報である。すなわち、電力量料金にあわせた明るさ・電力の制御を行うか行わないかの判断情報２１４と、判断情報２１４からのデータが、電力量料金にあわせた明るさ・電力の制御を行うというものである場合、電力量料金が高い時間帯における明るさ・電力制御の制御係数２１２、もしくは、電力量料金が低い時間帯における明るさ・電力制御の制御係数２１３を出力するものである。なお、明るさ・電力制御の制御係数２１２、２１３は、使用者が別途、任意に設定することができる。
【００１１】
以上の構成において、電力会社選択情報２０１からのデータと、契約形態選択情報２０２からのデータと、電力料金テーブル２０３からのデータと、現在の時間・曜日・日付情報２０４からのデータとから、マイクロコントローラ２００は電力量料金を算出する。
【００１２】
そしてマイクロコントローラ２００はさらに、算出された電力量料金及び制御方法選択情報２０５からのデータを基に、明るさ制御手段２０６及び電力制御手段２０７に対して制御を行い、この制御に基づき、映像入力手段２０８からの映像信号を映像表示デバイス制御手段２０９において制御を行い、映像表示デバイス２１０により表示する。
【００１３】
ここで、電力制御手段２０７は、例えばプラズマディスプレイ装置であればパネル駆動電力制御装置に相当し、液晶ディスプレイ装置であればバックライト電力制御装置に相当するものである。
【００１４】
図２は、本発明の一実施の形態による映像表示装置における表示画像の制御例の一例を模式的に示す図である。図２に示すように、制御方法選択情報２０５が電力量料金に応じた明るさ・電力の制御を行う設定である場合で、電力量料金が高い時間帯における明るさ・電力制御の制御係数を用い、通常制御より消費電力を落すような明るさ・電力の制御を行う場合、設定した係数だけ暗めの映像３０１となり、通常よりもランニングコストが安くなる。
【００１５】
また、制御方法選択情報２０５が電力量料金に応じた明るさ・電力の制御を行う設定である場合で、電力量料金が安い時間帯における明るさ・電力制御の制御係数を用い、通常制御より消費電力を上げるような明るさ・電力の制御を行う場合、設定した係数だけ明るめの映像３０２となり、通常よりもランニングコストは上がるが、使用者は電力料金の高い時間帯に比べ電力料金を比較的気にすることなく、明るくダイナミックな映像を楽しむことが出来る。
【００１６】
図３は、本発明の一実施の形態による映像表示装置における明るさ・電力の制御の一例を示すフローチャートである。
【００１７】
マイクロコントローラ２００は、図３のフローチャートに示される一連の処理を定期的に実行する。すなわち、マイクロコントローラ２００は、まず、電力契約形態の確認を行う（Ｓ１）。次に、現在の時間、曜日、日付の確認を行う（Ｓ２）。Ｓ１及びＳ２の情報に基づき、マイクロコントローラ２００は、今現在の電気料金を電気料金テーブル２０３が備える各電力会社の電力量料金テーブル２１１により判断することが可能となる（Ｓ３）。
【００１８】
次に、マイクロコントローラ２００は、使用者が設定した明るさ・電力制御の制御方法を読込み（Ｓ４）、電力量料金にあわせた明るさ・電力の制御を行う設定となっていた場合には、明るさ制御（Ｓ５）及び電力制御（Ｓ６）を行い、所望の明るさ・電力となるよう制御を行う。
【００１９】
図４は、本発明の一実施の形態による映像表示装置１０１において、電力料金を使用者が認識できるように表示する機能を実現するための概略構成の一例を示すブロック図である。図１に示した構成と同じ構成要素には同じ番号を付している。
【００２０】
図４に示すように、本発明の一実施の形態による映像表示装置１０１は、電力会社選択情報２０１からのデータと、契約形態選択情報２０２からのデータと、電力量料金テーブル２０３からのデータと、現在の時間・曜日・日付情報２０４からのデータとから、マイクロコントローラ２００は電力量料金を算出する。ここで、どの時間帯にどの電力制御値で制御を行ったかという情報と、映像表示装置の累積使用時間と、はメモリ５１１に格納・保存される。
【００２１】
さらにマイクロコントローラ２００は、算出された電力量料金及び制御方法選択情報２０５からのデータを基に、明るさ・電力制御を行うと同時に、どの時間帯にどの電力制御値で制御を行ったかという情報及び映像表示装置の累積使用時間を、数秒から数分間隔でメモリ５１１に格納・保存する。
【００２２】
そしてリモコン５１２などから使用者が料金表示の指示を行った場合、マイクロコントローラ２００はメモリ５１１に保存されている、累積使用時間と使用された時間帯情報を読み出し、電力料金テーブル２０３を用いて電力料金の金額を算出し、画面上に電力料金を表示するようＯＳＤ５１３に制御を行い、表示画面５１４に示すような電力料金表示を行う。
【００２３】
なお、以上述べた本発明の一実施の形態による映像表示装置では、使用される時間帯における電力料金を計算し、電力料金に応じて明るさ・電力制御部を制御する例を説明した。映像表示装置の一つであるプラズマディスプレイ装置や液晶ディスプレイ装置などにおいては、明るさ・電力制御を行うことによって消費電力量を調整することができるという利点がある。しかし、本発明は、何らこの構成に限定されるものではなく、消費電力を調整することが可能な映像表示装置であればその対象は制限されない。
【産業上の利用可能性】
【００２４】
以上のように本発明は、使用者が電力料金や消費電力量を意識し、低いランニングコスト、省エネルギーに効果のある映像表示装置を提供する上で有用である。
【図面の簡単な説明】
【００２５】
【図１】本発明の一実施の形態による映像表示装置の概略構成を示すブロック図
【図２】本発明の一実施の形態による映像表示装置における表示画像の制御例の一例を模式的に示す図
【図３】本発明の一実施の形態による映像表示装置における明るさ・電力の制御の一例を示すフローチャート
【図４】本発明の一実施の形態による映像表示装置１０１において、電力料金を使用者が認識できるように表示する機能を実現するための概略構成の一例を示すブロック図
【符号の説明】
【００２６】
１００  映像表示装置
１０１  映像表示装置
２００  マイクロコントローラ
２０１  電力会社選択情報
２０２  契約形態選択情報
２０３  電力料金テーブル
２０４  現在の時間・曜日・日付情報
２０５  制御方法選択情報
２０６  明るさ制御手段
２０７  電力制御手段
２０８  映像入力手段
２０９  映像表示デバイス制御手段
２１０  映像表示デバイス
２１１  電力会社の電力量料金テーブル
２１２  電力量料金が高い時間帯における明るさ・電力制御の制御係数
２１３  電力量料金が低い時間帯における明るさ・電力制御の制御係数
２１４  電力量料金にあわせた明るさ・電力制御を行うか行わないかの判断情報
３０１  明るさ・電力制御を行うことによって、設定した係数だけ暗めの映像
３０２  明るさ・電力制御を行うことによって、設定した係数だけ明るい映像
５１１  メモリ
５１２  リモコン
５１３  ＯＳＤ
５１４  表示画面
【図１】
2010091643.tif 000003
【図２】
2010091643.tif 000004
【図３】
2010091643.tif 000005
【図４】
2010091643.tif 000006